(57)【要約】【課題】  橋梁等のジョイントを能率的に撤去できる方法を提供すること。【解決手段】  ジョイントを挟む床版のうち、一方の床版にはジョイントに沿ってワイヤソー装置の切削ワイヤを案内する案内装置を設置することのできる案内装置設置溝を形成し、ジョイントを挟んで反対側の床版には、切削ワイヤを挿通することのできるワイヤ挿通溝をジョイントに沿って形成し、さらに、ジョイントを所定長さに切り離す切断溝を所定の間隔で形成したのち、外部に設置したワイヤソー装置から繰り出した無端の切削ワイヤを前記案内装置設置溝に設置した案内装置のガイドプーリを介して前記切断区間のジョイントの回りに挿通し、循環走行させつつ該ジョイントの下部を床版に沿って切断したのち撤去する。【選択図】      図３
2006183408.tif 000002
【特許請求の範囲】
【請求項１】
ジョイントを挟む両側の床版のうち、一方の床版にはジョイントに沿って切削ワイヤを案内するガイドプーリを備えた案内装置を設置することのできる案内装置設置溝を形成し、ジョイントを挟んで反対側の床版には、切削ワイヤを挿通することのできるワイヤ挿通溝をジョイントに沿って形成し、さらに、ジョイントを所定長さに切り離す複数の切断溝を所定間隔で形成して、外部に設置したワイヤソー装置から繰り出した無端の切削ワイヤを前記案内装置設置溝に設置した案内装置のガイドプーリを介して前記ジョイントの撤去部分の回りに形成されている溝に挿通し、該切削ワイヤを循環走行させつつ該ジョイントの下部を床版に沿って切断し、床版から切り離されたジョイント部分を撤去することを特徴とするジョイントの撤去方法。
【請求項２】
前記案内装置設置溝は、円盤状カッターを備えた床版カッターにより複数の溝をジョイントに沿って形成したのち、当該溝に楔等の破壊具を圧入して順次破壊することにより形成する請求項１に記載のジョイントの撤去方法。
【請求項３】
ワイヤソー装置として高周波モータを駆動装置とする切断装置を用いる請求項１又は２に記載のジョイントの撤去方法。
【発明の詳細な説明】
【技術分野】
【０００１】
本発明は、橋梁等のジョイントが老朽化等により更新が必要となった場合に、古いジョイントを切断撤去するための撤去方法に関するものである。
【背景技術】
【０００２】
橋梁等では、温度による伸縮を可能とするため、フィンガージョイント等と呼ばれるジョイントが設置されている。このジョイントは、互いに切り離されている前後の床版の表面部の端部に鋸歯状の凹凸部を形成し、一方の側の凸部が他方の側の凹部に嵌り合うように突き合わせたものである。
【０００３】
上記ジョイントは、交通による損傷や老朽化のため、適宜更新する必要がある。この更新に際しては、既設のジョイントを撤去し、新たなジョイントを設置するが、既設のジョイントの設置部には多数の鉄筋が設けられているため、その撤去は必ずしも容易ではない。
【０００４】
従来採用されてきた、一般的なジョイントの撤去方法は、鏨でジョイント設置部をはつる方法や、ブレーカでジョイント設置部を破壊する方法である。しかしながら、鏨ではつる方法は多大の労力と長時間を要するという問題点があり、ブレーカを用いる方法は衝撃でコンクリート等を破壊するものであるから、大きな振動や騒音が発生するという問題点がある。また、コンクリートは衝撃で容易に破壊できるとしても、鉄筋を切断するのは容易ではなく、撤去に長時間を要するという問題点があった。
【０００５】
上記ブレーカを用いる方法の問題点を改良するものとして、特許文献１、特許文献２に記載の方法が提案されている。
【０００６】
【特許文献１】特開２００３−１９３４１８号公報
【特許文献２】特開２００４−６０３３３号公報
【０００７】
上記特許文献１に記載されている方法は、橋梁の床版に固定されているジョイントの両側に断面三角形のレールを設け、カッターブレードを有する切断装置を、傾斜したレールに載せることによってそのカッターブレードを傾斜させた状態で当該レールに沿って移動させつつ、ジョイントの両側に斜めの溝を形成したのち、当該溝内に薄板状の水圧膨張プレートを挿入して、圧力水で膨張させ、ジョイントを設置している床版を前記斜めの溝に沿って浮き上がらせて撤去するものである。
【０００８】
また、上記特許文献２に記載されている方法は、コンクリートカッターの片側の車輪を床版上に設置した補助部材上に載せることにより、カッターブレードを傾斜させた状態で走行させて、ジョイントの両側に傾斜した切断溝を４本づつ形成し、これら切断溝に楔を打ち込んで縁を切ることにより、ジョイント設置部に新たなジョイント設置空間を形成するものである。
【０００９】
しかしながら、ジョイントの側部に斜めの溝を形成して破壊する方法では、多数の鉄筋やアンカーで強固に固定されているジョイントを能率よく撤去するのは容易ではない。また、この方法では、撤去した後の面が凹凸状となるから、新たなジョイントの設置の際に、この面を何らかの方法で整える必要がある。
【発明の開示】
【発明が解決しようとする課題】
【００１０】
この種の橋梁や道路は、一般に交通量が多く、長時間閉鎖することはできないので、ジョイントの更新に際しては、古いジョイントの撤去を短時間で行う必要がある。また、大きな振動や騒音が生じると環境問題が生じるため、できるだけ振動や騒音が少ない方法が要求される。そこで本発明は、既設のジョイントを比較的短時間で撤去することができ、しかも振動や騒音が発生が少ない方法を提供することを課題としている。
【課題を解決するための手段】
【００１１】
上記課題を解決するため、本発明は次のような構成を採用した。すなわち、請求項１に記載の撤去方法は、ジョイントを挟む両側の床版のうち、一方の床版にはジョイントに沿って切削ワイヤを案内するガイドプーリを備えた案内装置を設置することのできる案内装置設置溝を形成し、ジョイントを挟んで反対側の床版には、切削ワイヤを挿通することのできるワイヤ挿通溝をジョイントに沿って形成し、さらに、ジョイントを所定長さに切り離す複数の切断溝を所定間隔で形成して、外部に設置したワイヤソー装置から繰り出した無端の切削ワイヤを前記案内装置設置溝に設置した案内装置のガイドプーリを介して前記ジョイントの撤去部分の回りに形成されている溝に挿通し、該切削ワイヤを循環走行させつつ該ジョイントの下部を床版に沿って切断し、床版から切り離されたジョイント部分を撤去することを特徴としている。
【００１２】
この撤去方法において、上記案内装置設置用の溝は、前記案内装置設置溝は、円盤状カッターを備えた床版カッターにより複数の溝をジョイントに沿って形成したのち、当該溝に楔等の破壊具を圧入して順次破壊することにより形成するするのが好ましい。また、上記切断装置の動力源であるモータは、高周波モータを採用するのが好ましい。
【発明の効果】
【００１３】
本発明に係るジョイントの撤去方法は、撤去すべきジョイントの両側に形成したジョイントに沿う溝と、該ジョイントを横切る方向に所定の間隔で形成した切断溝とで撤去すべきジョイント部分を囲み、当該溝内に挿通した切削ワイヤで当該ジョイントの下部を床版から切り離すものであるから、振動や騒音の発生量が少なく、ジョイントを床版から能率良く切り離すことができる。切削ワイヤは、ジョイントに沿って形成した溝内に設置した案内装置のガイドプーリで案内するので、切断はジョイントの長手方向ではなく突き合わせ方向に進行することになり、切削ワイヤが鋭角に屈曲しなくてすむので、当該切削ワイヤの切損事故を防止することができる。上記のように所定間隔で形成されている切断溝で挟まれたジョイント部分を、同様な手順で順次撤去することにより、最終的に既設のジョイント全体を撤去することができる。
【発明を実施するための最良の形態】
【００１４】
以下本発明の実施形態について、具体的に説明する。既設のジョイントの撤去に際しては、まず図１及び図２に示すように、ジョイント１の両側に溝２，３を形成する。一方の溝２はワイヤソー装置の切削ワイヤＷが走行できる幅の細い溝（例えば溝巾５０ｍｍ程度）であり、溝の深さはジョイントの下側数百ｍｍ（例えば約３００ｍｍ）に達する深さである。溝２の幅や深さを不必要に大きくするのは不経済であるから、溝幅は切削ワイヤが走行できる大きさ、深さは新たなジョイントの設置に適した深さとするのが好ましい。この溝２は鉄筋等も切断可能なカッターディスク４を備えた床版カッター５をジョイント１に沿って移動させることにより切断線２ａを形成し、楔、鏨、ジャッキ等の破壊具７を用いて圧壊することにより、容易に形成することができる。
【００１５】
ジョイント１を挟んで反対側の溝３は、ワイヤソー装置１０の案内装置１１を設置する溝であり、溝幅は数百ｍｍ（例えば３００ｍｍ）である。この溝３は溝幅が広いため、床版カッター５の１〜２回の走行では形成することができないので、床版カッター５を繰り返し移動させることにより、複数の切断線３ａを形成し、前記と同様に、楔等の破壊具７で順次圧壊することにより広い溝とする。
【００１６】
一方、通常のジョイント１は道路の巾と同じ数ｍの長さがあるため、一度に撤去するのは困難である。そこで、ジョイントを適当な間隔で形成した切断溝４，…で複数の区間に切り離す。この区間の長さは撤去に適した長さとすればよく、通常は数千ｍｍ（例えば１〜２ｍ程度）とすればよい。この切断溝４も円盤状カッターディスクで切断を行う床版カッター等の適当な切断手段で形成することができる。メタルジョイントの場合は、カッターディスクの材質を金属切断に適したものとすればよい。
【００１７】
上記各溝２，３，４，４によって撤去すべきジョイント部分を囲んだら、幅の広い溝３内に案内装置１１を設置する。ワイヤソー装置本体１０は、ジョイント１の近辺に設置しておけばよい。このワイヤソー装置本体１０のプーリ１３から繰り出した無端の切削ワイヤ１２を案内装置１１のガイドプーリに掛け、溝３，４，２，４，３と挿通して、再度案内装置１１のガイドプーリで方向転換したのち、ワイヤソー装置１０のガイドプーリ１４を通して駆動プーリに引き戻す。案内装置１１は切削ワイヤ１２の方向転換装置とも言うべき装置であり、ワイヤソー装置１０本体から繰り出された切削ワイヤ１２を受入ガイドプーリ１６に受け入れたのち、溝底付近に設けた水平方向のガイドプーリ１７，…に導き、溝底に沿って走行させるように案内する。撤去するジョイント部分の周囲を通した切削ワイヤ１２は、案内装置１１の送出ガイドプーリ１８からワイヤソー装置本体１０の受入プーリ１４に導き、駆動プーリに掛けて再度循環させる。
【００１８】
上記切削ワイヤ１２は、ワイヤソー装置１０の分銅式張力付与装置１０ａによって常時張力が付与されるので、その循環走行により、図の矢印Ａ方向に切断が行われる。この切断方向は、ジョイント１の突き合わせ方向、すなわち橋軸方向であり、切断溝４，４で挟まれた撤去部分の長さはジョイント１の突き合わせ方向の長さよりも大きいので、切断幅は広く、切断が進行しても切削ワイヤ１２が鋭角に屈曲しなくてすむ。このため、切削ワイヤ１２の折損事故は生じにくい。
【００１９】
上記の手順により一つの区間（今回撤去部分）のジョイント部分を溝底付近で床版から切り離したら、当該切り離したジョイント部分を持ち上げて撤去する。一つの区間の撤去が終わったら、引き続き隣接する区間を同様に切り離し、撤去する。このようにして、順次ジョイント部分を撤去することにより、最終的にジョイント全体を撤去することができる。
【００２０】
既設のジョイントの撤去が終了したら、撤去した後の空間部分を圧縮空気等を用いて清掃し、新たに鉄筋を配置するとともに、コンクリートを打設して、新たなジョイントを設置する。これにより、ジョイントの更新作業が終了する。
【産業上の利用可能性】
【００２１】
以上の説明から明らかなように、本発明に係るジョイントの撤去方法は、橋梁等に設けられている既設のジョイントを振動や騒音の発生を抑えつつ能率的に撤去することができるもので、道路や橋梁のジョイントの更新工事に採用するに適したものである。
【図面の簡単な説明】
【００２２】
【図１】ジョイント部分の溝形成方法を表す断面図である。
【図２】その平面図である。
【図３】切断法を表す断面図である。
【図４】その平面図（ａ）及び正面図（ｂ）である。
【符号の説明】
【００２３】
１      ジョイント
２      溝
３      溝
４      溝
５      床版カッター
１０      ワイヤソー装置本体
１１      案内装置
１２      切削ワイヤ
【図１】
2006183408.tif 000003
【図２】
2006183408.tif 000004
【図３】
2006183408.tif 000005
【図４】
2006183408.tif 000006